(57)【要約】【課題】  エンジンとモータとを断接する締結要素の可動子の位置を制御しつつ、締結要素が摩耗等したときでも制御の精度を維持し、エンジン始動の応答性を高めることができる車両の制御装置を提供すること。【解決手段】  エンジンとモータとを断接する第1クラッチCL1の伝達トルク容量TCL1が発生し始める締結開始位置よりも所定の距離だけ開放側に、EV走行モードでの第１クラッチCL1の可動子（ピストン）のスタンバイ位置を設定する待機位置設定手段と、可動子（ピストン）をスタンバイ位置に制御する位置制御手段と、EV走行モード時に可動子（ピストン）を締結側に移動させ、またはHEV走行モード時に可動子（ピストン）を開放側に移動させて、伝達トルク容量TCL1と相関する変数（エンジン回転数Ne等）の変化を検出することに基づきスタンバイ位置を補正する待機位置補正手段と、を有することとした。【選択図】        図６
2009006781.tif 000002
【特許請求の範囲】
【請求項１】
エンジンと、
モータと、
移動することにより前記エンジン側の回転部材と前記モータ側の回転部材とを断接する可動子を有して前記エンジンと前記モータとの間に介装された締結要素と、を備え、
前記締結要素を開放し前記モータの駆動力のみで走行する第１走行モードと、前記締結要素を締結し前記エンジンの駆動力を用いて走行する第２走行モードと、を切り替え可能な車両の制御装置であって、
前記締結要素の伝達トルク容量が発生し始める締結開始位置よりも所定の距離だけ開放側に、前記第１走行モードでの前記可動子の待機位置を設定する待機位置設定手段と、
前記可動子の位置を前記待機位置に制御する位置制御手段と、
前記第１走行モード時に前記可動子を締結側に移動させ、または前記第２走行モード時に前記可動子を開放側に移動させて、前記伝達トルク容量と相関する変数の変化を検出することに基づき前記待機位置を補正する待機位置補正手段と、
を有する車両の制御装置。
【請求項２】
前記可動子の位置を検出する位置検出手段を備え、
前記待機位置補正手段は、前記変数の変化を検出したときの前記可動子の位置に基づき前記待機位置を補正することを特徴とする請求項１に記載の車両の制御装置。
【請求項３】
前記待機位置補正手段は、前記第１走行モード時に前記可動子を締結側に移動させて、前記締結開始位置を前記変数の変化により検出し、前記締結開始位置に基づき前記待機位置を補正することを特徴とする請求項１または２に記載の車両の制御装置。
【請求項４】
前記変数は、前記エンジンの回転数であることを特徴とする請求項３に記載の車両の制御装置。
【請求項５】
前記変数は、前記モータのトルクまたは回転数であることを特徴とする請求項３または４に記載の車両の制御装置。
【請求項６】
前記待機位置補正手段は、前記第２走行モード時に前記可動子を開放側に移動させて、前記伝達トルク容量が減少し始める開放開始位置を前記変数の変化により検出し、前記開放開始位置に基づき前記待機位置を補正することを特徴とする請求項１ないし５のいずれかに記載の車両の制御装置。
【請求項７】
前記エンジン側または前記モータ側の回転部材と前記可動子との間に、前記回転部材および前記可動子に対して回転可能な支持部材が設置され、
前記可動子は前記支持部材を介して前記回転部材同士を押し付け可能に設けられ、
前記変数は、前記支持部材の回転数であることを特徴とする請求項６に記載の車両の制御装置。
【請求項８】
前記待機位置設定手段は、前記可動子の位置と前記伝達トルク容量との相関を予め記憶したマップに基づき前記待機位置を設定し、
前記待機位置補正手段は、前記第１走行モード時に前記可動子を締結側に移動させて、前記締結開始位置を検出するとともに、前記第２走行モード時に前記可動子を開放側に移動させて、前記伝達トルク容量が減少し始める開放開始位置を検出し、検出した前記締結開始位置および前記開放開始位置に基づき前記マップを補正すること
を特徴とする請求項１ないし７のいずれかに記載の車両の制御装置。
【請求項９】
前記締結開始位置の検出に用いる前記変数は、前記エンジンの回転数であることを特徴とする請求項８に記載の車両の制御装置。
【請求項１０】
前記締結開始位置の検出に用いる前記変数は、前記モータのトルクまたは回転数であることを特徴とする請求項８または９に記載の車両の制御装置。
【請求項１１】
前記エンジン側または前記モータ側の回転部材と前記可動子との間に、前記回転部材および前記ピストンに対して回転可能な支持部材が設置され、
前記可動子は前記支持部材を介して前記回転部材同士を押し付け可能に設けられ、
前記開放開始位置の検出に用いる前記変数は、前記支持部材の回転数であることを特徴とする請求項８ないし１０のいずれかに記載の車両の制御装置。
【請求項１２】
車両の走行距離を計測する走行距離計測手段を有し、
前記待機位置補正手段は、前回の補正を実行した後の前記走行距離が所定値以上となったときに今回の補正を実行することを特徴とする請求項１ないし１１のいずれかに記載の車両の制御装置。
【請求項１３】
前記締結要素の摩耗量を推定する摩耗量推定手段を有し、
前記待機位置補正手段は、前回の補正を実行した後の前記摩耗量が所定値以上となったときに今回の補正を実行することを特徴とする請求項１ないし１２のいずれかに記載の車両の制御装置。
【請求項１４】
前記摩耗量推定手段は、前記エンジンの始動回数に基づき前記摩耗量を推定することを特徴とする請求項１３に記載の車両の制御装置。
【請求項１５】
前記締結要素は乾式の摩擦締結要素であることを特徴とする請求項１ないし１４のいずれかに記載の車両の制御装置。
【請求項１６】
前記エンジン側および前記モータ側の回転部材同士を弾性力により押し付けまたは離間させる弾性部材が設けられ、
前記可動子は、移動することにより前記弾性部材を弾性変形させて、前記可動子の位置に応じた前記伝達トルク容量を発生させること
を特徴とする請求項１ないし１５のいずれかに記載の車両の制御装置。
【請求項１７】
前記弾性部材は皿バネであることを特徴とする請求項１６に記載の車両の制御装置。
【請求項１８】
前記モータと駆動輪との間に介装され前記モータと前記駆動輪とを断接する第２の締結要素を備えたことを特徴とする請求項１ないし１７のいずれかに記載の車両の制御装置。
【請求項１９】
前記モータは発電機能を有するモータジェネレータであることを特徴とする請求項１ないし１８のいずれかに記載の車両の制御装置。
【発明の詳細な説明】
【技術分野】
【０００１】
本発明は、駆動力源としてエンジンとモータを備えた車両の制御装置に関する。
【背景技術】
【０００２】
駆動力源としてエンジンとモータを備えた車両の制御装置として特許文献１の技術（以下、従来例という）が開示されている。このハイブリッド車両は、エンジンとモータとを断接する入力クラッチと、モータと駆動輪との間に介装された自動変速機と、を備え、走行モードとして、モータのみを動力源として走行するモータ走行モードと、エンジンを動力源に含みながら走行するエンジン走行モードとを有し、走行状態に応じてこれらの走行モードを自動的に切り替えることで、燃費の向上を図っている。
【特許文献１】特開平１１−８２２６０号公報
【発明の開示】
【発明が解決しようとする課題】
【０００３】
従来例にあっては、入力クラッチの係合圧を制御し、モータ走行領域とエンジン走行領域との間に設定したスタンバイ制御領域において、入力クラッチの摩擦部材同士の距離を予め詰めておくスタンバイ制御を行う。すなわち、エンジン走行モードに移行する直前、入力クラッチの伝達トルク容量を僅かに発生させつつ、入力クラッチをすぐに完全締結できるぎりぎりの位置に、入力クラッチ油圧サーボのシリンダ内ピストンを待機させておく。これにより、モータ走行モードからエンジン走行モードに切り替えるべく、モータによりエンジンを始動する際、入力クラッチの締結指令から実際に完全締結されるまでの時間を短くして、エンジン始動の応答性を高めている。
【０００４】
しかし、この従来例では、ピストン（可動子）に作用する油圧を制御対象とすることで、クラッチの摩擦部材同士の押し付け力を制御するのみであり、摩擦部材同士の距離を決定するピストンのストローク量、すなわちピストン位置を微妙に制御することができない。例えば、モータ走行時に、伝達トルク容量が発生し始める締結開始位置よりも僅かに開放側にピストン位置を制御し、伝達トルク容量をゼロとしつつピストンを待機させることは、油圧制御では困難である。
【０００５】
よって、エンジンとモータとを断接するクラッチにつき、締結力ではなく、ピストンの位置、および（ピストン位置により決定される）摩擦部材の位置を直接の制御対象とすることが考えられる（以下、比較例とする）。この比較例では、ピストン位置を直接の制御対象とするため、所望の位置に摩擦部材を待機させることができ、例えばエンジン走行モードへ切り替える際（＝エンジン始動時）のクラッチの制御精度を従来例よりも向上できる。
【０００６】
しかし、この比較例では、摩擦部材間の距離を実際に検知してピストンの位置を制御するわけではない。このため、例えば摩擦部材が摩耗した場合には、目標の待機位置にピストンを移動させても、摩耗により広がった摩擦部材間の距離分が埋められない。よって、エンジン始動時のクラッチ制御の精度が低下し、エンジン始動時間を十分に短くすることができない、という問題が残る。
【０００７】
本発明は上記問題に着目してなされたもので、エンジンとモータとを断接するクラッチ（締結要素）の可動子（ピストン）の位置を制御しつつ、クラッチが摩耗等したときでも、クラッチ制御の精度を維持し、エンジン始動の応答性を高めることができる車両の制御装置を提供することを目的とする。
【課題を解決するための手段】
【０００８】
上記目的を達成するため、本発明の車両の制御装置は、エンジンと、モータと、移動することにより前記エンジン側の回転部材と前記モータ側の回転部材とを断接する可動子を有して前記エンジンと前記モータとの間に介装された締結要素と、を備え、前記締結要素を開放し前記モータの駆動力のみで走行する第１走行モードと、前記締結要素を締結し前記エンジンの駆動力を用いて走行する第２走行モードと、を切り替え可能な車両の制御装置であって、前記締結要素の伝達トルク容量が発生し始める締結開始位置よりも所定の距離だけ開放側に、前記第１走行モードでの前記可動子の待機位置を設定する待機位置設定手段と、前記可動子の位置を前記待機位置に制御する位置制御手段と、前記第１走行モード時に前記可動子を締結側に移動させ、または前記第２走行モード時に前記可動子を開放側に移動させて、前記伝達トルク容量と相関する変数の変化を検出することに基づき前記待機位置を補正する待機位置補正手段と、を有することとした。
【発明の効果】
【０００９】
よって、本発明の車両の制御装置にあっては、可動子（ピストン）の待機位置を補正する待機位置補正手段を有するため、クラッチが摩耗等したときでも待機位置を適正に制御して、クラッチ制御の精度およびエンジン始動の応答性を高めることができる。
【発明を実施するための最良の形態】
【００１０】
以下、本発明の車両の制御装置を実現する最良の形態を、図面に示す実施例に基づいて説明する。
【実施例１】
【００１１】
（駆動系の構成）
まず、実施例１における車両の駆動系の構成を説明する。
図１は、実施例１の車両の制御装置が適用された後輪駆動によるハイブリッド車両を示す全体システム図である。このハイブリッド車両の駆動系は、エンジンEと、第1クラッチCL1と、モータジェネレータMGと、第2クラッチCL2と、自動変速機ATと、プロペラシャフトPSと、ディファレンシャルDFと、左ドライブシャフトDSLと、右ドライブシャフトDSRと、左後輪RL（駆動輪）と、右後輪RR（駆動輪）と、を有している。なお、FLは左前輪、FRは右前輪である。
【００１２】
エンジンEは、ガソリンエンジンであり、後述するエンジンコントローラ１からの制御指令に基づいて、スロットルバルブの開度等が制御される。なお、エンジン出力軸A1にはフライホイールFWが設けられている。
【００１３】
第1クラッチCL1は、エンジンEとモータジェネレータMGとの間に介装された締結要素であり、後述する第1クラッチコントローラ５からの制御指令に基づいて、第1クラッチ油圧ユニット６により作り出された制御油圧（第1クラッチ圧）により、その締結および開放が制御される。
【００１４】
モータジェネレータMGは、ロータに永久磁石を埋設しステータにステータコイルが巻き付けられた同期型モータジェネレータであり、後述するモータコントローラ２からの制御指令に基づいて、インバータ３により作り出された三相交流を印加することにより制御される。このモータジェネレータMGは、バッテリ４からの電力の供給を受けて回転駆動する電動機として動作することもできるし、ロータが外力により回転している場合には、ステータコイルの両端に起電力を生じさせる発電機として機能してバッテリ４を充電することもできる（この動作状態を「回生」と呼ぶ）。なお、このモータジェネレータMGのロータは、ダンパを介して自動変速機ATの入力軸に連結されている。
【００１５】
（第２クラッチ）
第2クラッチCL2は、モータジェネレータMGと左右後輪RL,RRとの間に介装された締結要素であり、後述するATコントローラ７からの制御指令に基づいて、第2クラッチ油圧ユニット８により作り出された制御油圧により、その締結および開放が制御される。第2クラッチCL2は、ハイブリッド車両専用クラッチとして新たに追加したものではなく、自動変速機ATの各変速段にて締結される複数の締結要素のうち、いくつかの締結要素を流用している。第2クラッチCL2には、比例ソレノイドで油流量および油圧を連続的に制御できる湿式多板クラッチを用いているが、他の構成としてもよい。
【００１６】
（自動変速機）
自動変速機ATは、前進５速後退１速等の有段階の変速比を、車速VSPやアクセル開度APO等に応じて、予めATコントローラ７に記憶された所定の変速マップに従って自動的に切り替える変速機である。自動変速機ATの出力軸は、プロペラシャフトPS、ディファレンシャルDF、左ドライブシャフトDSL、右ドライブシャフトDSRを介して左右後輪RL,RRに連結されている。
【００１７】
（走行モード）
このハイブリッド車両の駆動系は、第1クラッチCL1の締結・開放状態に応じた３つの走行モードを有している。第1の走行モードは、発進時を含む低負荷走行時に、第1クラッチCL1の開放状態で、モータジェネレータMGの動力のみを動力源として走行するモータ使用走行モードとしての電気自動車走行モード（以下、「EV走行モード」）である。
【００１８】
第2の走行モードは、第1クラッチCL1の締結状態で、エンジンEを動力源に含みながら走行するエンジン使用走行モード（以下、「HEV走行モード」）である。例えば急加速時等の高負荷走行時には、車両の要求駆動力が大きく、駆動力としてエンジントルクが必要となる。このため、要求駆動力が所定値以上となった場合等に、第1クラッチCL1を締結してエンジンEを始動し、HEV走行モードに移行する。
【００１９】
第3の走行モードは、第1クラッチCL1は締結状態で第2クラッチCL2をスリップ制御させ、エンジンＥを動力源に含みながら走行するエンジン使用スリップ走行モード（以下、「WSC（Wet Start Clutch）走行モード」と略称する。）である。この走行モードは、特にバッテリSOCが低いときやエンジン水温が低いときに、クリープ走行を達成する。さらに、エンジン停止状態からの発進時にエンジンEを始動しつつ駆動力を出力可能な走行モードである。
【００２０】
上記HEV走行モードは、「エンジン走行モード」と「モータアシスト走行モード」と「走行発電モード」との３つの走行モードを有している。「エンジン走行モード」は、エンジンEのみを動力源として駆動輪を動かす。「モータアシスト走行モード」は、エンジンEとモータジェネレータMGの２つを動力源として駆動輪RR,RLを動かす。「走行発電モード」は、エンジンEを動力源として駆動輪RR,RLを動かすと同時に、モータジェネレータMGを発電機として機能させる。
【００２１】
上記走行発電モードは、定速運転時や加速運転時には、エンジンEの動力を利用してモータジェネレータMGを発電機として動作させ、発電した電力をバッテリ４の充電のために使用する。また、減速運転時には、制動エネルギーを利用してモータジェネレータMGを発電機として動作させ、制動エネルギーを回生する。
【００２２】
（第1クラッチの構成）
図２は、第1クラッチCL1の軸方向断面を示す。第1クラッチCL1は、手動変速機に用いられるクラッチと同様の乾式単板の摩擦クラッチであり、フライホイールFWに一体結合されたクラッチカバー３１内に、クラッチディスク３２と、プレッシャプレート３３と、皿バネ（ダイヤフラム）３４と、を有し、また、（レリーズレバーの機能も果たす）皿バネ３４を弾性変形させるレリーズベアリング３７と、レリーズベアリング３７を軸方向に往復移動させるピストン３５と、ピストンを３５収容するスリーブシリンダ３６と、を有している。
【００２３】
クラッチディスク３２は、クラッチプレート32aと、クラッチプレート32aの外周側でプレート面に設けられた摩擦部材であるクラッチフェーシング32b、32cと、振動吸収用のトーションスプリング32eを介してクラッチプレート32aに接続されたクラッチハブ32dと、を有している。クラッチハブ32dは、上記ロータに接続したモータ出力軸A2にスプライン結合され、軸方向に摺動可能に設けられている。
【００２４】
リング状のスリーブシリンダ３６は、そのピストン収容孔36bがエンジンE側に開口するように固定設置されている。スリーブシリンダ３６の軸孔36aには、モータ出力軸A2が回転可能に設けられている。リング状のピストン３５は、スリーブシリンダ３６のピストン収容孔36b内に軸方向に摺動可能に収容されている。収容孔36bの内周面とピストン３５のモータジェネレータMG側の端面との間で、油圧室Rが形成されている。第1クラッチ油圧ユニット６（自動変速機ATの油圧コントロールバルブ内）から油圧室Rに作動油が供給されることで、第1クラッチ圧が発生する。作動油が供給・排出され、第1クラッチ圧が制御されることで、ピストン３５が軸方向に往復移動する。
【００２５】
ピストン３５と皿バネ３４との間には、スラスト玉軸受けであるレリーズベアリング３７が設けられている。レリーズベアリング３７は、ピストン３５のエンジンE側の端面に対して軸方向で対向配置されたリング状のレリーズベアリング当接部37bと、レリーズベアリング当接部37bの外周側でレリーズベアリング当接部37bと一体に形成されたレリーズベアリング外周部37cと、レリーズベアリング当接部37bとピストン３５のエンジンE側の端面との間に転動可能に設置された複数のボール37aと、を有している。レリーズベアリング外周部37cは、モータジェネレータMG側へ軸方向に伸長して形成され、スリーブシリンダ３６を覆うように配置されている。レリーズベアリング当接部37bおよびレリーズベアリング外周部37cは、ピストン３５およびスリーブシリンダ３６に対して軸周り方向に回転可能に設けられている。
【００２６】
レリーズベアリング外周部37cの外周面に対向して、レリーズベアリング外周部37cの軸方向位置を検出するストロークセンサ１５が設けられている。レリーズベアリング外周部37cはピストン３５と一体に軸方向移動するため、ストロークセンサ１５は、ピストン３５のストローク位置ｘを検出する。また、レリーズベアリング外周部37cの外周面に対向して、レリーズベアリング外周部37c（およびレリーズベアリング当接部37b）の回転数を検出する回転数センサが設けられている。
【００２７】
（第1クラッチの作用）
図２中、中心軸の上側は第1クラッチCL1の完全締結状態を示し、下側は完全開放状態を示す。
【００２８】
（完全開放状態）
第1クラッチCL1の完全開放状態（EV走行モード）では、油圧室Rに作動油が供給され、第1クラッチ圧によりピストン３５のストローク位置ｘは、第1クラッチCL1の伝達トルク容量TCL1を発生させないストローク領域である完全開放領域にある。
【００２９】
EV走行モードでは、エンジンEは作動せず、モータジェネレータMGのみが作動する。よって、エンジン出力軸A1に連結されたフライホイールFWは回転せず、モータ出力軸A2に連結されたクラッチディスク３２が回転している。第1クラッチCL1が開放されていているため、フライホイールFWにトルクは伝達されない。よって、フライホイールFWと一体結合したクラッチカバー３１と、クラッチカバー３１に接した皿バネ３４、皿バネ３４に接したレリーズベアリング当接部37b、およびレリーズベアリング外周部37cとは、回転せずに静止状態を保つ。
【００３０】
（完全開放状態→完全締結状態）
油圧室Rから作動油が排出され第1クラッチ圧が抜かれることにより、ピストン３５がモータジェネレータMG側の軸方向にストロークする。レリーズベアリング当接部37bに接触した皿バネ３４の内周側がモータジェネレータMG側に移動するため、皿バネ３４がクラッチカバー３１との接触部34aを支点として弾性変形し、皿バネ３４の外周側がエンジンE側に移動する。皿バネ３４の弾性力により、皿バネ３４の外周側がプレッシャプレート３３をエンジンE側に押し付ける。
【００３１】
プレッシャプレート３３が、クラッチディスク３２をフライホイールFWに押し付けると、プレッシャプレート３３とクラッチフェーシング32cとの間、およびクラッチフェーシング32bとフライホイールFWとの間に摩擦力が発生する。これにより第1クラッチCL1の伝達トルク容量TCL1が発生する。伝達トルク容量TCL1が発生し始めるピストン３５のストローク位置を締結開始位置ｘ３とする。
【００３２】
伝達トルク容量TCL1が発生し始めると、エンジン出力軸A1とモータ出力軸A2との間で伝達トルク容量TCL1を上限とするトルクを伝達可能になる。よって、モータトルクTmを用いてエンジン出力軸A1が回転し始め、エンジン回転数Neが0rpmから上昇する。
【００３３】
また、伝達トルク容量TCL1が発生し始めると、エンジンEのフリクションや慣性力に打ち勝ってエンジン出力軸A1を回転させるために必要なモータトルクTmの分だけ、モータジェネレータMGに作用する負荷が増大する。この負荷の増大により、後述するモータトルク制御中にはモータ回転数Nmが低下し、後述するモータ回転数制御中にはモータトルクTmが増大する。
【００３４】
モータトルクTmを用いてエンジン出力軸A1が回転し始める時点は、伝達トルク容量TCL1が発生し始める時点と同一とみなせる。よって、（１）エンジン回転数Neが0rpmから上昇し始める時点、（２）モータ回転数Nmが低下し始める時点（モータトルク制御中）、または（３）モータトルクTmが増大し始める時点（モータ回転数制御中）におけるピストン３５のストローク位置ｘを、上記締結開始位置ｘ３とみなせる。
【００３５】
このように、エンジンEとモータジェネレータMGとは第1クラッチCL1を介して断接される構成となっているため、第1クラッチCL1の締結状態（伝達トルク容量TCL1）に応じて、エンジンEとモータジェネレータMGとは負荷を及ぼし合う。すなわち、エンジンEの作動状態とモータジェネレータMGの作動状態とは影響を及ぼし合う。本発明は、第１クラッチCL1の締結状態がこれらの作動状態に与える影響に基づいて締結開始位置ｘ３を検出するものである。
【００３６】
尚、ストローク位置ｘが締結開始位置ｘ３よりも締結側のストローク領域にあるとき、第1クラッチCL1が半締結状態（半クラッチ）となり、ストローク位置ｘに応じたトルク、言い換えれば皿バネ３４がフライホイール３０とクラッチフェーシング32bとを押し付ける力に応じたトルクが伝達されるようになる。すなわち、伝達トルク容量TCL1は、ピストン３５のストローク位置ｘにより決定され、制御される。
【００３７】
（完全締結状態）
第1クラッチCL1の完全締結状態（HEV走行モード、WSC走行モード）では、油圧室Rから作動油が排出され、ピストン３５のストローク位置ｘは、最大の伝達トルク容量TCL1maxを発生させるストローク領域である完全締結領域にある。
【００３８】
完全締結状態では、フライホイールFW（＝エンジン出力軸A1）とクラッチディスク３２（＝モータ出力軸A2）とが一体に回転する。また、クラッチカバー３１、皿バネ３４、およびプレッシャプレート３３も、エンジン出力軸A1およびモータ出力軸A2と一体に回転する。一方、皿バネ３４と接触しないレリーズベアリング当接部37bおよびレリーズベアリング外周部37cは、回転せずに静止状態を保つ。
【００３９】
（完全締結状態→完全開放状態）
油圧室Rに作動油が供給されると、第1クラッチ圧によりピストン３５がエンジンE側の軸方向に移動する。第1クラッチ圧が一定以上になると、ピストン３５と一体に移動するレリーズベアリング当接部37bが皿バネ３４の内周側に接触し、エンジンE側に押し付ける。これにより皿バネ３４がクラッチカバー３１との接触部34aを支点として弾性変形する。よって、皿バネ３４がフライホイール３０とクラッチフェーシング32bとを押し付ける力が減少し始め、伝達トルク容量TCL1が減少し始める。このときのピストン３５のストローク位置ｘを開放開始位置ｘ２とする。
【００４０】
ピストン３５が開放開始位置ｘ２よりも開放側、かつ上記締結開始位置ｘ３よりも締結側のストローク位置にあるとき、第1クラッチCL1が半締結（半クラッチ）状態となるため、このストローク領域を半締結領域という。半締結領域では、伝達トルク容量TCL1は、ピストン３５のストローク位置ｘにより決定され、制御される。
【００４１】
ピストン３５がさらに開放側にストロークし、上記締結開始位置ｘ３よりも開放側に移動すると、皿バネ３４の外周側がモータジェネレータMG側に移動するようになる。すると皿バネ３４の外周側とフライホイールFWとの間の軸方向距離が広がって、両者の間に挟まれたクラッチディスク３２およびプレッシャプレート３３を軸方向に移動可能とする。よって、クラッチフェーシング32bとフライホイールFWとの間に軸方向隙間ができ、第1クラッチCL1が完全開放状態となる。
【００４２】
上記のようにピストン３５が開放開始位置ｘ２までストロークしたとき、レリーズベアリング当接部37bが皿バネ３４の内周側に接触し、これをエンジンE側に押し付ける。このとき、皿バネ３４はフライホイールFW（＝エンジン出力軸A1）と一体に回転している。このため、皿バネ３４からレリーズベアリング当接部37bに対して摩擦によるトルクが伝達される。こうして伝達されるフライホイールFW（＝エンジン出力軸A1）側の回転慣性力がレリーズベアリング３７の静止摩擦力に打ち勝つようになると、レリーズベアリング当接部37bおよびレリーズベアリング外周部37cは、ピストン３５およびスリーブシリンダ３６に対して回転を始める。
【００４３】
レリーズベアリング当接部37bに対して上記摩擦によるトルクが伝達され、伝達されるフライホイールFW（＝エンジン出力軸A1）側の回転慣性力がレリーズベアリング３７の静止摩擦力に打ち勝つようになる時点は、皿バネ３４が変形して伝達トルク容量TCL1が減少し始める時点と同一とみなせる。よって、レリーズベアリング外周部37cが回転を始めるストローク位置ｘが、上記開放開始位置ｘ２である。
【００４４】
尚、第1クラッチCL1が完全開放され、フライホイールFW（＝エンジン出力軸A1）が静止すると、それに伴い皿バネ３４からレリーズベアリング当接部37bに対してトルクが伝達されなくなり、レリーズベアリング当接部37bおよびレリーズベアリング外周部37cも回転を停止して静止する。
【００４５】
（制御系の構成）
次に、実施例１におけるハイブリッド車両の制御系を説明する。図1に示すように、ハイブリッド車両の制御系は、後述する各種センサおよびスイッチの他、エンジンコントローラ１、モータコントローラ２、インバータ３、バッテリ４、第１クラッチコントローラ５、第１クラッチ油圧ユニット６、ATコントローラ７、第２クラッチ油圧ユニット８、ブレーキコントローラ９、および統合コントローラ１０を有している。第１クラッチ油圧ユニット６および第２クラッチ油圧ユニット８は、自動変速機ATに備えられた油圧コントロールバルブ内に設けられている。
【００４６】
尚、エンジンコントローラ１と、モータコントローラ２と、第１クラッチコントローラ５と、ATコントローラ７と、ブレーキコントローラ９と、統合コントローラ１０とは、情報交換が可能なCAN通信線１１を介して互いに接続されている。
【００４７】
各種センサおよびスイッチは、エンジン回転数センサ１２、レゾルバ１３、第１クラッチ油圧センサ１４、ストロークセンサ１５、アクセル開度センサ１６、車速センサ１７、第２クラッチ油圧センサ１８、車輪速センサ１９、ブレーキストロークセンサ２０、モータ回転数センサ２１、第２クラッチ出力回転数センサ２２、レリーズベアリング回転数センサ２３、ブレーキ油圧センサ２４、およびバッテリ電力センサ２５を有している。
【００４８】
（エンジンコントローラ）
エンジンコントローラ１は、エンジン回転数センサ１２が検出したエンジン回転数Neや統合コントローラ１０からの目標エンジントルク指令Te*等の情報に基づき、エンジン動作点（Ne,Te）を制御する指令を、例えばスロットルバルブアクチュエータへ出力する。エンジン回転数Neの情報は、ＣＡＮ通信線１１を介して統合コントローラ１０へ供給される。
【００４９】
（モータコントローラ）
モータコントローラ２は、レゾルバ１３が検出したモータジェネレータMGのロータ回転位置、および統合コントローラ１０からの目標モータトルク指令Tm*等に基づき、モータジェネレータMGのモータ動作点（Nm,Tm）を制御する指令をインバータ３へ出力する。
【００５０】
また、モータジェネレータMGに流れる電流値（電流値の正負によって駆動トルクと回生トルクを区別している）に基づいて、モータジェネレータトルク（以下、モータトルクTmという）を推定するモータトルク推定部２aが設けられている。この推定されたモータトルクTmの情報は、CAN通信線１１を介して統合コントローラ１０へ供給される。
【００５１】
（第１クラッチコントローラ）
第1クラッチコントローラ５は、統合コントローラ１０からの第1クラッチ制御指令（目標ストローク位置ｘ*）に基づき、第1クラッチCL1の締結・開放を制御する指令（目標ストローク位置ｘ*を実現する第1クラッチ圧指令値）を演算し、これを第１クラッチ油圧ユニット６に出力する。また、ストロークセンサ１５が検出したストローク位置ｘと目標ストローク位置ｘ*との偏差に基づき、第1クラッチ圧指令値を補正する。検出したストローク位置ｘの情報は、CAN通信線１１を介して統合コントローラ１０に入力される。
【００５２】
（ATコントローラ）
ATコントローラ７は、アクセル開度センサ１６が検出したアクセル開度APO、車速センサ（AT出力回転数センサ）１７が検出した車速VSP、第2クラッチ油圧センサ１８が検出した第2クラッチ圧、および統合コントローラ１０からの第2クラッチ制御指令（目標伝達トルク容量TCL2*）等に基づき、第2クラッチCL2の締結・開放を制御する指令を第2クラッチ油圧ユニット８に出力する。なお、アクセル開度APO、および車速VSPの情報は、CAN通信線１１を介して統合コントローラ１０に入力される。
【００５３】
（ブレーキコントローラ）
ブレーキコントローラ９は、車輪速センサ１９が検出した４輪FR,FL,RR,RLの各車輪速、ブレーキストロークセンサ２０が検出したブレーキストロークBS、および統合コントローラ１０からの回生協調制御指令に基づき、回生協調ブレーキ制御を行う。例えば、ブレーキ踏み込み制動時、ブレーキストロークBSから算出される要求制動力に対し回生制動力だけでは不足する場合、その不足分を機械制動力（摩擦制動力）で補うように制御する。
【００５４】
（統合コントローラ）
統合コントローラ１０は、主に、車両全体の消費エネルギーを管理し、最高効率で車両を走らせる機能を有している。統合コントローラ１０は、モータ回転数センサ２１が検出したモータ回転数Nm、第２クラッチ出力回転数センサ２２が検出した第2クラッチ出力回転数N2out、レリーズベアリング回転数センサ２３が検出したレリーズベアリング回転数、ブレーキ油圧センサ２４が検出したブレーキ圧、バッテリ電力センサ２５が検出したバッテリ４の使用可能な電力容量（以下、バッテリSOC）、およびCAN通信線１１を介して得られた各情報、すなわちエンジン回転数Ne、ストローク位置ｘ、第1、第2クラッチ圧、アクセル開度APO、車速VSP、およびブレーキストロークBS等の入力を受ける。
【００５５】
（統合コントローラ１０の制御内容）
以下に、図３に示すブロック図を用いて、実施例１の統合コントローラ１０にて演算される制御を説明する。例えば、この演算は、制御周期10msec毎に統合コントローラ１０で演算される。統合コントローラ１０は、目標駆動力演算部100と、モード選択部200と、目標充放電演算部300と、動作点指令部400と、変速制御部500と、を有している。
【００５６】
（目標駆動力演算）
目標駆動力演算部100では、所定の目標駆動力マップを用いて、アクセルペダル開度APOと車速VSPとから、目標駆動力tFoOを演算する。
【００５７】
（目標走行モード演算）
モード選択部200では、図４に示すEV-HEV選択マップを用いて、走行状態（アクセルペダル開度APOおよび車速VSP）から、目標走行モードを演算する。但し、バッテリSOCが所定値以下であれば、強制的に「HEV走行モード」を目標走行モードとする。
【００５８】
尚、EV-HEV選択マップには、低車速領域でアクセルペダル開度APOが大きいときに、大きな駆動力を出力するために、WSC走行モードが設定されている。HEV→WSC切換線もしくはEV→WSC切換線は、自動変速機ATが１速段のときに、エンジンEのアイドル回転数よりも小さな回転数となる車速VSP1に設定されている。図４中、斜線領域がWSC走行モードの領域である。網掛け領域は、WSC走行モードとEV走行モードと切り換える際のヒステリシス領域である。
【００５９】
（目標充放電演算）
目標充放電演算部300では、所定の目標充放電量マップを用いて、バッテリSOCから目標充放電電力tPを演算する。
【００６０】
動作点指令部400は、エンジン制御部410と、モータ制御部420と、第1クラッチ制御部430と、第2クラッチ制御部440と、エンジン始動制御部450と、を有している。
【００６１】
（エンジン制御）
エンジン制御部410は、目標駆動力tFoO等に基づき目標エンジントルクTe*を演算し、これをエンジンコントローラ１に出力して、エンジンEの動作を制御する。
【００６２】
（モータ制御）
モータ制御部420は、目標駆動力tFoO等に基づき目標モータ回転数Nm*および目標モータトルクTm*を演算し、これらをモータコントローラ２に出力して、モータジェネレータMGの動作を制御する。すなわち、モータ回転数制御とモータトルク制御を行う。モータ回転数制御では、第2クラッチ出力回転数N2outよりもモータ回転数Nm（第2クラッチCL2のモータジェネレータMG側の回転数）が高くなるように目標モータ回転数Nm*を設定する。モータトルク制御では、目標駆動力tFoOおよび推定されたモータトルクTmに基づいて目標モータトルクTm*を設定し、モータトルクTmが目標モータトルクTm*になるように制御する。EV走行モードでは、モータトルク制御を行う。
【００６３】
（第1クラッチ制御）
第1クラッチ制御部430は、ピストン３５の目標ストローク位置ｘ*を演算して第1クラッチコントローラ５に出力する。これにより第1クラッチCL1の締結および開放を制御して、EV走行モードとHEV走行モード（WSC走行モードを含む。以下同様）を切り換える。また、EV走行モード時には、ピストン３５をスタンバイ位置に待機させる。
【００６４】
（第２クラッチ制御）
第2クラッチ制御部440は、目標駆動力tFoOに基づいて第2クラッチCL2の目標伝達トルク容量TCL2*を演算し、これを変速制御部500に出力して、第2クラッチCL2の伝達トルク容量TCL2を制御する。
【００６５】
（エンジン始動制御）
エンジン始動制御部450は、目標走行モードがEV走行モードからHEV走行モードに切り換わってエンジン始動要求がなされると、エンジンEの始動制御を行う。以下、エンジン始動制御部450の制御内容について説明する。
【００６６】
エンジン始動制御部450は、エンジン始動要求がなされると、モータジェネレータMGのトルクをエンジンEに伝達してエンジンEの回転数を引き上げるべく、第1クラッチ制御部430に制御指令を出力して、第1クラッチCL1のスリップ制御を行う。具体的には、半締結領域内で目標伝達トルク容量TCL1*に応じた所定値に目標ストローク位置ｘ*を設定させる。第1クラッチCL1の伝達トルク容量TCL1が発生すると、エンジン出力軸A1が回されてエンジン回転数Neが0rpmから上昇する。すなわち、エンジンEのクランキングが行われる。所定条件が成立するとエンジン点火が行われ、エンジンEが自立回転を始める。エンジン回転数Neが自立回転を示す値になったことを確認すると、第1クラッチ制御部430に制御指令を出力して、目標伝達トルク容量TCL1*を一定割合で最大値TCL1maxまで上昇させる。これにより第１クラッチCL1を完全締結状態として、エンジン始動を完了する。
【００６７】
また、モータ制御部420に制御指令を出力して、モータトルク制御からモータ回転数制御へ切り替える。さらに、第2クラッチ制御部440に制御指令を出力して、第2クラッチCL2をスリップ制御する。具体的には、第2クラッチCL2の伝達トルク容量TCL2を目標駆動力tFoOに基づき制御させる。モータ回転数制御により、モータジェネレータMGの目標モータ回転数Nm*は、第2クラッチ出力回転数N2outに所定スリップ量を加算した値に設定される。これにより、第2クラッチCL2の過剰なスリップが防止される。
【００６８】
このモータ回転数制御により、目標駆動力tFoOおよび第2クラッチCL2の伝達トルク容量TCL2よりも大きな目標モータトルクTm*が自動的に設定される。また、上記のように第1クラッチCL1の伝達トルク容量TCL1を増大させる際にモータジェネレータMGに作用する負荷の増大分（クランキングトルク）だけ高い目標モータトルクTm*が自動的に再設定される。よって、駆動トルクに加えてエンジン始動分のトルクをモータジェネレータMGに発生させても、車両走行に必要な駆動力が減少することはなく、駆動輪RR,RLには第2クラッチCL2の伝達トルク容量TCL2相当値が確実に出力される。したがって、目標駆動力tFoOを達成しつつ、駆動輪RR,RL側には伝達トルク容量TCL2以上のトルクが出力されることが防止され、安定した走行または滑らかな発進が達成される。
【００６９】
エンジン始動が完了すると、モータ回転数制御からモータトルク制御に再び切り換えると共に、第2クラッチCL2を完全締結する。
【００７０】
（変速制御）
動作点指令部400は、シフトスケジュールに沿って目標変速段（目標ATシフト）を自動的に設定し、変速制御部500に出力する。変速制御部500は、この目標変速段を達成するように、自動変速機AT内のソレノイドバルブを駆動制御し、自動変速機AT内の各クラッチの伝達トルクを制御する。尚、このシフトスケジュールは、車速VSPとアクセルペダル開度APOに基づいて予め目標変速段が設定されたものであり、アップシフト線、ダウンシフト線等が設定されている。
【００７１】
（第1クラッチ制御の詳細）
図３に示すように、第1クラッチ制御部430は、目標伝達トルク容量演算部431と、トルク−ストロークマップ432と、目標ストローク位置演算部433と、スタンバイ位置補正部434と、を有している。
【００７２】
目標伝達トルク容量演算部431は、エンジン回転数Neやモータ回転数Nm等に基づき、第1クラッチCLの伝達トルク容量TCL1の目標値、すなわち目標伝達トルク容量TCL1*を演算する。
【００７３】
トルク−ストロークマップ432は、図５に示すように、伝達トルク容量TCL1とピストン３５のストローク位置ｘとの相関を示す特性マップである。この相関特性は、予め設計値として規定されている。任意の２つのストローク位置ｘの間の距離が、ピストン３５のストローク量である。
【００７４】
ピストン３５が最小ストローク位置ｘ１から開放開始位置ｘ２までの完全締結領域にあるとき、伝達トルク容量TCL1は所定の最大値TCL1maxとなり、第1クラッチCLは完全締結状態である。
【００７５】
ピストン３５が開放開始位置ｘ２から締結開始位置ｘ３までの半締結領域にあるとき、第1クラッチCLは半締結（半クラッチ）状態である。すなわち、伝達トルク容量TCL1はゼロから最大値TCL1maxまでの間の値をとり、ストローク量に応じて皿バネ３４の特性に従って変化する。半締結領域では、所定の伝達トルク容量TCL1が与えられると、それに応じた所定のストローク位置ｘが一義的に決定される。尚、図５では伝達トルク容量TCL1の増大に応じてストローク位置ｘが締結側に遷移する線形のグラフを示したが、非線形の特性であってもよい。
【００７６】
ピストン３５が締結開始位置ｘ３から最大ストローク位置ｘ５までの完全開放領域にあるとき、伝達トルク容量TCL1は最小値＝ゼロとなり、第1クラッチCLは完全開放状態である。
【００７７】
完全開放領域の中でも、最大ストローク位置ｘ５よりも締結側であり、かつ締結開始位置ｘ３から所定のストローク量αだけ開放側にオフセットした位置に、スタンバイ位置ｘ４が設定されている。このストローク量αは、ピストン３５がスタンバイ位置ｘ４から締結側にストローク量αだけ移動するまでの時間、すなわち第1クラッチCL1の締結指令後、実際に伝達トルク容量TCL1が発生するまでの時間が十分に短くなる距離に設定されている。また、ストローク量αは、油温等の外乱に起因するスタンバイ位置ｘ４の制御誤差によってもクラッチフェーシング32bとフライホイールFWとの間に摩擦力が発生せず、EV走行中に伝達トルク容量TCL1が発生するおそれがない距離に設定されている。
【００７８】
目標ストローク位置演算部433は、目標走行モードや目標伝達トルク容量TCL1*に基づき、トルク−ストロークマップ432を用いて、ストローク位置ｘの目標値である目標ストローク位置ｘ*を演算する。EV走行モード時には、目標ストローク位置ｘ*をスタンバイ位置ｘ４に設定する。HEV走行モード時には、目標ストローク位置ｘ*を完全締結領域内の所定値（例えば最小ストローク位置ｘ１）に設定する。EV走行モードとHEV走行モードの切り換え時には、半締結領域内で目標伝達トルク容量TCL1*に応じた所定値に目標ストローク位置ｘ*を設定し、スリップ制御を行う。
【００７９】
スタンバイ位置補正部434は、トルク−ストロークマップ432に設定されたスタンバイ位置ｘ４を学習補正する。具体的には、各制御周期で、EV走行モード時にはピストン３５を締結側に移動させ、またHEV走行モード時にはピストン３５を開放側に移動させて、伝達トルク容量TCL1と相関する変数の変化を検出することに基づきスタンバイ位置ｘ４を補正する。
【００８０】
スタンバイ位置補正部434は、走行距離計測部435と摩耗量推定部436を有している。走行距離計測部435は、スタンバイ位置ｘ４の補正を前回実行した時点から現時点までの車両の走行距離Lを計測する。摩耗量推定部436は、スタンバイ位置ｘ４の補正を前回実行した時点から現時点までのエンジンEの始動回数、言い換えれば第1クラッチCL1の締結回数を検出し、この回数に基づき、上記２時点間における第1クラッチCL1の摩耗量Sを推定する。
【００８１】
（スタンバイ位置の補正制御）
以下、スタンバイ位置補正部434による制御内容を、図６のフローチャートに基づき説明する。
【００８２】
ステップS1では、上記計測した走行距離Lまたは推定した摩耗量Sを読み込み、ステップS2に進む。
【００８３】
ステップS2では、学習補正の開始条件が成立したか否かを判定する。開始条件が成立したときはステップS3に進む。開始条件が不成立であるときはステップS13に進んで前回のスタンバイ位置ｘ４を保持する。上記開始条件は、上記計測した走行距離Lが所定の閾値以上となったこと、または上記推定した摩耗量Sが所定の閾値以上となったことである。尚、これら２条件がともに成立したことを開始条件としてもよいし、第1クラッチCL1の摩耗を示す他の変数を用いて開始条件を設定してもよい。
【００８４】
ステップS3では、目標走行モードがEV走行モードであるか否かを判定する。EV走行中であるときはステップS4に進み、それ以外のときはステップS7に進む。
【００８５】
（EV走行モード時）
ステップS4では、第1クラッチ圧を所定量だけ減少させ、ピストン３５を所定量だけ締結側にストロークさせる。その後、ステップS5に進む。上記所定量は、ストローク量α未満の値である。
【００８６】
ステップS5では、第1クラッチCL1の伝達トルク容量TCL1と相関する変数の変化を検出する。具体的には、モータ回転数Nmが低下し始めたか否か、またはエンジン回転数Neが上昇し始めたか否かを検出する。これらの変数（NmまたはNe）の変化（低下または上昇）を検出すればステップS6に進み、検出しなければステップS4に戻る。尚、どちらか一方のみの変数の変化を検出することとしてもよい。
【００８７】
ステップS6では、締結開始位置ｘ３を算定する。上記変数の変化を検出したときのストローク位置ｘが締結開始位置ｘ３となる。よって、ストロークセンサ１５の検出値を読み込んで締結開始位置ｘ３を設定する。その後、ステップS11に進む。
【００８８】
すなわち上記のように、（１）エンジン回転数Ne＞0rpm、（２）モータ回転数Nmの低下（モータトルク制御中）、（３）モータトルクTmの上昇（モータ回転数制御中）の３条件のいずれかを満たすストローク位置が締結開始位置ｘ３である。本実施例１では、EV走行中にモータトルク制御が行われる。よって、スタンバイ位置ｘ４の補正のためにEV走行モードでピストン３５をストロークさせて伝達トルク容量TCL1を発生させる際には、モータトルク制御が行われている。このため、エンジン回転数Neが0rpmから上昇し始めるストローク位置ｘ、またはモータ回転数Nmが低下し始めるストローク位置ｘが、上記締結開始位置ｘ３となる（上記（１）（２）の条件）。
【００８９】
尚、これら２条件がともに満たされたときに、ストロークセンサ１５の検出値を読み込んで締結開始位置ｘ３を設定することとしてもよい。
【００９０】
ステップS11では、算定した締結開始位置ｘ３に基づき、トルク−ストロークマップ432を補正する。具体的には、トルク−ストロークマップ432に設定されていた締結開始位置ｘ３を、上記算定した値により置き換えて補正する。その後、ステップS12に進む。
【００９１】
ステップS12では、スタンバイ位置を決定する。具体的には、算定した締結開始位置ｘ３を所定のストローク量αだけ開放側にオフセットさせた位置にスタンバイ位置ｘ４を決定する。そして、トルク−ストロークマップ432に設定されていたスタンバイ位置ｘ４を、上記決定した値により置き換えて補正する。その後、今回の制御周期を終了する。
【００９２】
（HEV走行モード時）
ステップS7では、目標走行モードがHEV走行モード（WSC走行モードを含む）であるか否かを判定する。HEV走行中であるときはステップS8に進み、それ以外のときはステップS3に戻る。
【００９３】
ステップS8では、第1クラッチ圧を所定量だけ増大させ、第1クラッチCL1のピストン３５を所定量だけ開放側にストロークさせる。その後、ステップS9に進む。上記所定量は、例えば完全締結時のストローク位置が最小ストローク位置ｘ１に設定されている場合は、ストローク量δ未満の値である。
【００９４】
ステップS9では、伝達トルク容量TCL1と相関する変数の変化を検出する。具体的には、レリーズベアリング外周部37cの回転が発生したか否かを検出する。この変数（レリーズベアリング回転数）の変化（発生）を検出すればステップS10に進み、検出しなければステップS8に戻る。
【００９５】
ステップS10では、開放開始位置ｘ２を算定する。レリーズベアリング回転数の発生を検出したときのストローク位置ｘが開放開始位置ｘ２となる。よって、ストロークセンサ１５の検出値を読み込んで開放開始位置ｘ２を設定する。その後、ステップS11に進む。尚、レリーズベアリング回転数センサ２３とストロークセンサ１５との間で、センサ検出値の読み込みタイミングを同期させる。
【００９６】
ステップS11では、算定した開放開始位置ｘ２に基づき、トルク−ストロークマップ432を補正する。具体的には、トルク−ストロークマップ432に設定されていた開放開始位置ｘ２を、上記算定した値により置き換えて補正する。その後、ステップS12に進む。
【００９７】
ステップS12では、スタンバイ位置ｘ４を決定する。具体的には、算定した開放開始位置ｘ２を所定のストローク量γだけ開放側にオフセットさせた位置に締結開始位置ｘ３を想定する。このストローク量γは、開放開始位置ｘ２から締結開始位置ｘ３までのストローク量として、皿バネ３４の初期特性（トルク−ストローク特性）に応じて予め設定された値である。さらに、想定した締結開始位置ｘ３をストローク量αだけ開放側にオフセットさせた位置にスタンバイ位置ｘ４を決定する。そして、トルク−ストロークマップ432に設定されていたスタンバイ位置ｘ４を、決定した値により置き換えて補正する。その後、今回の制御周期を終了する。
【００９８】
［実施例１の作用効果］
以下、実施例１から把握される、本発明の車両の制御装置が有する作用効果を列挙する。
【００９９】
（１）本発明の車両の制御装置は、エンジンEと、モータ（モータジェネレータMG）と、移動することによりエンジンE側の回転部材（フライホイールFW等）とモータジェネレータMG側の回転部材（クラッチディスク３２等）とを断接する可動子（ピストン３５）を有してエンジンEとモータジェネレータMGとの間に介装された第1クラッチCL1と、を備え、第1クラッチCL1を開放しモータジェネレータMGの駆動力のみで走行するEV走行モードと、第1クラッチCL1を締結しエンジンEの駆動力を用いて走行するHEV走行モード（WSC走行モードを含む）と、を切り替え可能な車両の制御装置であって、第1クラッチCL1の伝達トルク容量TCL1が発生し始める締結開始位置ｘ３よりも所定の距離（ストローク量α）だけ開放側に、EV走行モードでのピストン３５のスタンバイ位置ｘ４を設定する待機位置設定手段（トルク−ストロークマップ432、目標ストローク位置演算部433）と、ピストン３５のストローク位置ｘをスタンバイ位置ｘ４に制御する位置制御手段（第1クラッチ制御部430）と、EV走行モード時にピストン３５を締結側に移動させ、またはHEV走行モード時にピストン３５を開放側に移動させて、伝達トルク容量TCL1と相関する変数（エンジン回転数Ne等）の変化を検出することでスタンバイ位置ｘ４を補正する待機位置補正手段（スタンバイ位置補正部434）と、を有することとした。
【０１００】
すなわち、EV走行モード時には、ピストン３５を締結開始位置ｘ３よりもストローク量αだけ開放側のスタンバイ位置ｘ４に待機させる。これにより、EV走行中、締結容量TCL1が発生してモータジェネレータMGに負荷トルクが作用する事態を確実に防止できる。よって、無駄なバッテリ電力の消費や、第1クラッチCL1の特性や耐久性の悪化を確実に防止できる。また、ピストン３５を正確に締結開始位置ｘ３に待機させる場合に比べて、制御ロジックが複雑にならず制御を簡便化できる効果がある。
【０１０１】
また、HEV走行モードに切り換える際、第1クラッチCL1の締結指令から実際に伝達トルク容量TCL1が発生してエンジンEが始動されるまでの時間が短縮される。例えば、図5に示す最大ストローク位置ｘ５からピストン３５をストロークさせて第1クラッチCL1を締結した場合には、締結開始位置ｘ３までのストローク量βが大きい（β＞α）。このためピストン３５の空振りストローク量が大きく、実際に伝達トルク容量TCL1が発生するまでの空振り時間が長くなる。これに対し、本発明の車両の制御装置では、空振り時間を短縮するため、締結指令からのエンジン始動の応答性を向上できる。
【０１０２】
また、ピストンに作用する油圧を制御することで、仮に、クラッチの摩擦部材同士の押し付け力のみを制御する構成では、ピストンのストローク位置を直接の制御対象とせず、伝達トルク容量をゼロとしつつ速やかに締結可能な微妙な位置にピストンを制御できない。これに対し、本発明はピストン３５のストローク位置ｘを直接の制御対象とする位置制御手段を有しているため、所望の位置にピストン３５を待機させることができ、エンジン始動時の第1クラッチCL1の制御精度を向上できる。
【０１０３】
さらに、EV走行中であってもHEV走行中であってもスタンバイ位置ｘ４を補正できる待機位置補正手段（スタンバイ位置補正部434）を有する。このため、第1クラッチCL1のクラッチフェーシング32b等が摩耗したり、個体差（組み付けクリアランス）によりバラツキが生じたりして、実際の締結開始位置ｘ３が設定値に対してズレたときでも、スタンバイ位置ｘ４を適正に制御できる。したがって、クラッチ制御の精度を維持し、エンジン始動の応答性を確実に向上できる、という効果を有する。
【０１０４】
（２）ピストン３５のストローク位置ｘを検出するストロークセンサ１５を備え、待機位置補正手段（スタンバイ位置補正部434）は、上記変数の変化を検出したときのストローク位置ｘに基づきスタンバイ位置ｘ４を補正することとした。
【０１０５】
例えばEV走行モード時には、エンジン回転数Neの発生、またはモータ回転数Nmの低下を検出したときのストローク位置ｘが締結開始位置ｘ３となる。よって、ストロークセンサ１５の検出値を読み込んで締結開始位置ｘ３を設定する。算定した締結開始位置ｘ３を所定のストローク量αだけ開放側にオフセットさせた位置にスタンバイ位置ｘ４を決定する。このように、ストロークセンサ１５の検出値に基づきスタンバイ位置ｘ４を適正化できる。
【０１０６】
（３）待機位置補正手段（スタンバイ位置補正部434）は、EV走行モード時にピストン３５を締結側に移動させて、締結開始位置ｘ３を上記変数の変化により検出し、締結開始位置ｘ３に基づきスタンバイ位置ｘ４を補正することとした。
【０１０７】
このように、第1クラッチCL1の摩耗等により締結開始位置ｘ３がズレたときでも、実際の締結開始位置ｘ３を検出でき、この検出した締結開始位置ｘ３に基づきスタンバイ位置ｘ４を補正する。スタンバイ位置ｘ４は、実際に伝達トルク容量TCL1が発生し始めるピストン３５のストローク位置（締結開始位置ｘ３）に基づき設定する必要があるところ、このように実際の締結開始位置ｘ３に基づき直接にスタンバイ位置ｘ４を適正化できるため、クラッチ制御の精度を維持し、エンジン始動の応答性を確実に向上できる、という効果を有する。
【０１０８】
（４）待機位置補正手段（スタンバイ位置補正部434）は、HEV走行モード時にピストン３５を開放側に移動させて、伝達トルク容量TCL1が減少し始める開放開始位置ｘ２を上記変数の変化により検出し、開放開始位置ｘ２に基づきスタンバイ位置ｘ４を補正することとした。
【０１０９】
このように、第1クラッチCL1の摩耗等により開放開始位置ｘ２や締結開始位置ｘ３がズレたときでも、実際の開放開始位置ｘ２を検出でき、この検出した開放開始位置ｘ２と所与のトルク−ストローク特性とに基づきスタンバイ位置ｘ４を補正する。よってHEV走行中においても、開放開始位置ｘ２等の変化に応じてスタンバイ位置ｘ４を適正化でき、次回以降のエンジン始動の応答性を確実に向上できる、という効果を有する。
【０１１０】
（５）待機位置設定手段（トルク−ストロークマップ432、目標ストローク位置演算部433）は、ピストン３５のストローク位置ｘと伝達トルク容量TCL1との相関を予め記憶したトルク−ストロークマップ432に基づきスタンバイ位置ｘ４を設定し、待機位置補正手段（スタンバイ位置補正部434）は、EV走行モード時にピストン３５を締結側に移動させて、締結開始位置ｘ３を検出するとともに、HEV走行モード時にピストン３５を開放側に移動させて、伝達トルク容量TCL1が減少し始める開放開始位置ｘ２を検出し、検出した締結開始位置ｘ３および開放開始位置ｘ２に基づきトルク−ストロークマップ432を補正することとした。
【０１１１】
このようなトルク−ストロークマップ432を有することで、EV走行中にピストン３５をスタンバイ位置ｘ４に制御するだけでなく、エンジン始動等の際、トルク−ストロークマップ432に基づきストローク位置ｘを制御して所望の伝達トルク容量TCL1を得ることができる（第1クラッチCL1の半締結制御）。ここで、検出した締結開始位置ｘ３および開放開始位置ｘ２に基づきトルク−ストロークマップ432を補正することで、第1クラッチCL1の摩耗等により締結開始位置ｘ３等がズレたときでも、トルク−ストロークマップ432のトルク−ストローク特性を適正化できる。よって、実際の締結開始位置ｘ３等が変化した場合であっても、スタンバイ位置ｘ４を適正化してエンジン始動の応答性を向上できるだけでなく、トルク−ストロークマップ432の特性を適正化して上記半締結制御におけるクラッチ制御性を向上できる、という効果を有する。
【０１１２】
（６）車両の走行距離Lを計測する走行距離計測部435を有し、待機位置補正手段（スタンバイ位置補正部434）は、前回の補正を実行した後の走行距離Lが所定値以上となったときに今回の補正を実行することとした。
【０１１３】
すなわち、走行中に頻繁に上記スタンバイ位置ｘ４の補正を行うと、車両挙動に影響することも考えられる。よって、走行距離Lが所定値以上となり、現実的に締結開始位置ｘ３等にズレが発生することが予想される時点で、上記補正を実行することとした。よって、効果的にスタンバイ位置ｘ４を適正化できる一方、補正実行回数を制限することで車両挙動を確実に安定化できる、という効果を有する。
【０１１４】
（７）第1クラッチCL1の摩耗量Sを推定する摩耗量推定手段を有し、待機位置補正手段（スタンバイ位置補正部434）は、前回の補正を実行した後の摩耗量Sが所定値以上となったときに今回の補正を実行することとした。具体的には、エンジンEの始動回数に基づき摩耗量Sを推定することとした。
【０１１５】
このように摩耗量Sが所定値以上となり、現実的に締結開始位置ｘ３等にズレが発生することが予想される時点で、上記補正を実行することとした。よって、効果的にスタンバイ位置ｘ４を適正化できる一方、補正実行回数を制限することで車両挙動を確実に安定化できる、という効果を有する。
【０１１６】
（９）第1クラッチCL1は乾式の摩擦クラッチであることとした。
【０１１７】
一般に乾式クラッチは、摩擦板同士が潤滑されないため、締結・開放の動作による摩耗の度合いが激しい。このため、ピストンストローク位置やトルク−ストローク特性の経時変化が、湿式クラッチに比べて大きい。よって、乾式の摩擦クラッチに本発明を適用した場合、上記作用効果をより効果的に得ることができる。
【０１１８】
（１０）エンジンE側およびモータ（モータジェネレータMG）側の回転部材（フライホイールFW、クラッチディスク３２）同士を弾性力により押し付けまたは離間させる弾性部材（皿バネ３４）が設けられ、ピストン３５は、移動することにより弾性部材（皿バネ３４）を弾性変形させて、ストローク位置ｘに応じた伝達トルク容量TCL1を発生させることとした。
【０１１９】
すなわち弾性部材の弾性変形量と伝達トルク容量TCL1は相関を有している。言い換えれば、弾性部材の変形量と弾性力との相関特性に応じて、ピストン３５のストローク位置と伝達トルク容量TCL1との相関特性が決定される。よって、ピストン３５のストローク位置ｘを制御することで所望の伝達トルク容量TCL1を発生させることができる。このようにトルク−ストローク特性を予め明確に把握できるため、これを利用した上記スタンバイ位置ｘ４の制御や半締結制御が正確かつ確実である、という効果を有する。
【０１２０】
（１１）上記弾性部材は皿バネ３４であることとした。
【０１２１】
一般に、クラッチに用いられる皿バネはレリーズレバーの機能を併せ持っており、皿バネの内周側を押すと、皿バネの中間部を支点として外周側が変位する構成となっている。よって、皿バネ３４の内周側34bと、支点となる接触部34aとの間の距離に対して、接触部34aと外周側34cとの間の距離を小さく設定すれば（レリーズレバー比を大きくとれば）、皿バネ３４の変形量に対して発生する弾性力の変化量を小さくできる。よって、皿バネ３４を用いたとき、上記トルク−ストローク特性においても、ストローク量の変化に対して伝達トルク容量TCL1の変化の割合を小さくできる。これは、トルク−ストローク特性を用いて制御する際、ストローク位置ｘに応じて伝達トルク容量TCL1をより細かく制御できる自由度が高いことを意味する。したがって、他の弾性部材（例えばコイルバネ）を用いた場合よりも、上記（１０）の作用効果を効果的に得ることができる。尚、上記支点となる接触部34aとして、ピボットリング等の部材を新たに設けてもよい。
【０１２２】
（１２）モータ（モータジェネレータMG）と駆動輪RR,RLとの間に介装され、モータ（モータジェネレータMG）と駆動輪RR,RLとを断接する第２クラッチCL2を備えた車両の制御装置であることとした。
【０１２３】
よって、この形式の車両に本願発明を適用した場合、上記作用効果を得ることができる。
【０１２４】
（１３）上記モータは発電機能を有するモータジェネレータMGであることとした。
【０１２５】
よって、この形式の車両に本願発明を適用した場合、上記作用効果を得ることができる。
【０１２６】
以上、本発明の車両の制御装置を実施例１に基づき説明してきたが、具体的な構成については、実施例１に限られるものではなく、特許請求の範囲の各請求項に係る発明の要旨を逸脱しない限り、設計の変更や追加等は本発明に含まれる。
【０１２７】
例えば、実施例１ではエンジン始動制御時に、モータトルク制御からモータ回転数制御に切り換えることとしたが、エンジン始動時にモータ回転数制御に切り換えることなくモータトルク制御を継続し、第2クラッチCL2を完全締結したまま、またはスリップ制御させつつ、エンジン始動に必要なトルクをモータジェネレータMG（目標モータトルクTm*）に加算する構成としてもよい。
【０１２８】
また、EV走行モード時にモータ回転数制御を行うこととしてもよい。この場合、EV走行モード時にスタンバイ位置ｘ４の補正を行う際、モータトルクTm（モータジェネレータMGに流れる電流値）の増大が発生した時点のストローク位置に基づき締結開始位置ｘ３を検出できる（上記条件（３））。
【０１２９】
実施例１では第1クラッチCL1として単板クラッチを用いたが、多板クラッチを用いることとしてもよい。また、湿式クラッチを用いることとしてもよい。
【０１３０】
実施例１では、エンジンE側およびモータジェネレータMG側の回転部材（フライホイールFW、クラッチディスク３２）同士を弾性力により押し付けまたは離間させる弾性部材として皿バネ３４を用いたが、コイルバネ等、他の弾性部材を用いることとしてもよい。
【０１３１】
実施例１では、第1クラッチCL1として、ピストン３５が最小ストローク位置ｘ１にありストローク量がゼロの時に最大伝達トルク容量TCL1maxとなり完全締結される常閉式のものを用いたが、上記ストローク量がゼロの時に伝達トルク容量TCL1がゼロとなり完全開放される常開式のクラッチを用いることとしてもよい。
【０１３２】
実施例１では、油圧により移動（ストローク）するピストンを可動子として用いたクラッチに本発明を適用したが、電磁的な吸引力により移動する部材を可動子として用いた電磁クラッチや、アクチュエータ（モータ）により回転駆動されるネジのピッチ量に応じて移動する部材を可動子として用いた、いわゆるEMB（Electric Motor Brake）に本発明を適用することとしてもよい。
【０１３３】
実施例１では、第2クラッチCL2として自動変速機ATに内蔵されたクラッチを利用する例を示したが、モータジェネレータと変速機との間に第2クラッチCL2を追加して介装したり、または、変速機と駆動輪との間に第2クラッチCL2を追加して介装したりしてもよい。さらには、第1クラッチCL1のみを持つハイブリッド車両にも適用できる。
【図面の簡単な説明】
【０１３４】
【図１】実施例１の制御装置が適用された車両を示す全体システム図である。
【図２】第1クラッチの軸方向断面図である。
【図３】実施例１の制御装置における統合コントローラの制御ブロック図である。
【図４】EV-HEV選択マップである。
【図５】第1クラッチの伝達トルク容量とピストンストローク位置との相関を示す特性マップ（トルク−ストロークマップ）である。
【図６】スタンバイ位置の補正制御を表すフローチャートである。
【符号の説明】
【０１３５】
Ｅ  エンジン
Ａ１  エンジン出力軸
ＦＷ  フライホイール
ＣＬ１  第１クラッチ
Ａ２  モータ出力軸
ＭＧ  モータジェネレータ
ＣＬ２  第２クラッチ
ＡＴ  自動変速機
ＲＬ  左後輪（駆動輪）
ＲＲ  右後輪（駆動輪）
５  第１クラッチコントローラ
６  第１クラッチ油圧ユニット
１０  統合コントローラ
１２  エンジン回転数センサ
１５  ストロークセンサ
２１  モータ回転数センサ
２３  レリーズベアリング回転数センサ
３２  クラッチディスク
３２ｂ  クラッチフェーシング
３４  皿バネ
３５  ピストン
３７  レリーズベアリング
３７ｃ  レリーズベアリング外周部
４３０  第１クラッチ制御部
４３１  目標伝達トルク容量演算部
４３２  トルク−ストロークマップ
４３３  目標ストローク位置演算部
４３４  スタンバイ位置補正部
４３５  走行距離計測部
４３６  摩耗量推定部
４５０  エンジン始動制御部
【図１】
2009006781.tif 000003
【図２】
2009006781.tif 000004
【図３】
2009006781.tif 000005
【図４】
2009006781.tif 000006
【図５】
2009006781.tif 000007
【図６】
2009006781.tif 000008